(57)【要約】【課題】車両の減速走行時においてエンジンへの燃料供給が停止されているときにおける自動変速機のシフトダウン変速中のトルクフェーズ期間にブレーキペダルの踏み増しが行われても、トルクフェーズ期間における燃料供給の復帰を出来る限り抑制する。【解決手段】車両の制御装置はエンジン制御部を備え、エンジン制御部は、車両の減速走行時に、エンジンへの燃料供給を停止するとともに、現時点において、所定期間先の先読み回転速度が所定の復帰回転速度を下回っているか否かを判定して、該先読み回転速度が該所定の復帰回転速度を下回っていると判定したときに、燃料供給を復帰させ、車両の減速走行時において燃料供給が停止されているときにおけるシフトダウン変速中のトルクフェーズ期間の踏み増し判定でブレーキペダルが所定量以上踏み増しされたと判定したときには、上記復帰の判定に用いる回転速度を、先読み回転速度から実回転速度に変更する。【選択図】図４
2020192831.tif 000002
【特許請求の範囲】
【請求項１】
エンジンと、該エンジンと駆動輪との間の動力伝達経路に設けられた自動変速機と、上記駆動輪を含む全車輪に摩擦ブレーキ力を発生させる摩擦ブレーキ装置とを有する車両の制御装置であって、
上記車両の運転者によるブレーキペダルの踏み込み量を検出するブレーキペダルセンサと、
上記エンジンの回転速度を検出するエンジン回転速度センサと、
上記車両のエンジンへの燃料供給の停止及び燃料供給の復帰を行うエンジン制御部と、
上記自動変速機の変速制御を行う変速制御部と、を備え、
上記エンジン制御部は、上記車両の減速走行時に、該車両のエンジンへの燃料供給を停止するとともに、現時点までに上記エンジン回転速度センサにより検出された上記エンジンの回転速度である実回転速度から、現時点に対して所定期間先の該エンジンの回転速度を先読みして、現時点において、該先読みした回転速度である先読み回転速度が所定の復帰回転速度を下回っているか否かを判定して、該先読み回転速度が該所定の復帰回転速度を下回っていると判定したときに、該エンジンへの燃料供給を復帰させるように構成され、
更に上記エンジン制御部は、上記車両の減速走行時において該エンジン制御部により上記エンジンへの燃料供給が停止されているときにおける上記変速制御部による上記自動変速機のシフトダウン変速中のトルクフェーズ期間に、上記ブレーキペダルセンサによる上記踏み込み量から上記ブレーキペダルが所定量以上踏み増しされたか否かの踏み増し判定を行い、該踏み増し判定において所定量以上踏み増しされたと判定したときには、該トルクフェーズ期間の終了まで、上記所定の復帰回転速度と比較して上記燃料供給の復帰の判定に用いる回転速度を、上記先読み回転速度から上記実回転速度に変更するように構成されていることを特徴とする車両の制御装置。
【請求項２】
請求項１記載の車両の制御装置において、
上記車両は、上記エンジンと連結された発電機を含み、該発電機の発電作動により上記駆動輪に回生ブレーキ力を発生させる回生ブレーキ装置を更に備え、
上記ブレーキペダルセンサによる上記ブレーキペダルの踏み込み量に応じて、上記摩擦ブレーキ装置及び上記回生ブレーキ装置を制御するブレーキ制御部を更に備え、
上記ブレーキ制御部は、現時点において、所定期間先の上記先読み回転速度が、上記所定の復帰回転速度と同じ値又は略同じ値に設定された所定回転速度以上であるか否かを判定して、上記先読み回転速度が該所定回転速度以上であるときには、上記摩擦ブレーキ装置及び上記回生ブレーキ装置の両方で上記車両を制動させる一方、上記先読み回転速度が上記所定回転速度よりも低いときには、上記摩擦ブレーキ装置のみにより上記車両を制動させるとともに、上記エンジン制御部により、上記燃料供給の復帰の判定に用いる回転速度が、上記先読み回転速度から上記実回転速度に変更されている間は、上記所定回転速度と比較して上記車両の制動の切り換えに用いる回転速度を、上記先読み回転速度から上記実回転速度に変更するように構成されていることを特徴とする車両の制御装置。
【請求項３】
エンジンと、該エンジンと駆動輪との間の動力伝達経路に設けられた自動変速機と、上記駆動輪を含む全車輪に摩擦ブレーキ力を発生させる摩擦ブレーキ装置とを有する車両の制御装置であって、
上記車両の運転者によるブレーキペダルの踏み込み量を検出するブレーキペダルセンサと、
上記エンジンの回転速度を検出するエンジン回転速度センサと、
上記車両のエンジンへの燃料供給の停止及び燃料供給の復帰を行うエンジン制御部と、
上記自動変速機の変速制御を行う変速制御部と、を備え、
上記エンジン制御部は、上記車両の減速走行時に、該車両のエンジンへの燃料供給を停止し、上記エンジン回転速度センサによる該エンジンの回転速度が所定の復帰回転速度を下回ったときに、該エンジンへの燃料供給を復帰させるように構成され、
更に上記エンジン制御部は、上記車両の減速走行時において該エンジン制御部により上記エンジンへの燃料供給が停止されているときにおける上記変速制御部による上記自動変速機のシフトダウン変速中のトルクフェーズ期間に、上記ブレーキペダルセンサによる上記踏み込み量から上記ブレーキペダルが所定量以上踏み増しされたか否かの踏み増し判定を行い、該踏み増し判定において所定量以上踏み増しされたと判定したときには、該トルクフェーズ期間の終了まで、所定量以上踏み増しされなかったと判定したときに比べて、上記所定の復帰回転速度を小さくするように構成されていることを特徴とする車両の制御装置。
【請求項４】
請求項３記載の車両の制御装置において、
上記車両は、上記エンジンと連結された発電機を含み、該発電機の発電作動により上記駆動輪に回生ブレーキ力を発生させる回生ブレーキ装置を更に備え、
上記ブレーキペダルセンサによる上記ブレーキペダルの踏み込み量に応じて、上記摩擦ブレーキ装置及び上記回生ブレーキ装置を制御するブレーキ制御部を更に備え、
上記ブレーキ制御部は、上記エンジン回転速度センサによる上記エンジンの回転速度が、上記所定の復帰回転速度と同じ値又は略同じ値に設定された所定回転速度以上であるときには、上記摩擦ブレーキ装置及び上記回生ブレーキ装置の両方で上記車両を制動させる一方、上記エンジンの回転速度が上記所定回転速度よりも低いときには、上記摩擦ブレーキ装置のみにより上記車両を制動させるとともに、上記エンジン制御部により上記所定の復帰回転速度が小さくされている間は、上記所定回転速度を、該小さくされた所定の復帰回転速度と同じ値又は略同じ値に変更するように構成されていることを特徴とする車両の制御装置。
【発明の詳細な説明】
【技術分野】
【０００１】
本発明は、エンジンと、該エンジンと駆動輪との間の動力伝達経路に設けられた自動変速機と、上記駆動輪を含む全車輪に摩擦ブレーキ力を発生させる摩擦ブレーキ装置とを有する車両の制御装置に関する技術分野に属する。
【背景技術】
【０００２】
従来より、車両の燃費を向上させるために、該車両の減速走行時に、該車両のエンジンへの燃料供給を停止し、そのエンジンの回転速度が所定の下限値を下回ったときに、該エンジンへの燃料供給を復帰させるようにすることが知られている。
【０００３】
このような車両においては、燃料供給が復帰されると、その復帰の前後におけるエンジントルクの段差により車輪駆動力が急変して、車両にショック（燃料復帰ショック）が生じる。
【０００４】
そこで、例えば特許文献１では、燃料供給復帰時におけるエンジントルクの増大に起因したパワートレーンの駆動力変化を、高応答なパワートレーンの制動力制御（パワートレーンに設けた回生ブレーキ装置と車輪の摩擦ブレーキ装置との協調制御）により抑制するようにしている。
【先行技術文献】
【特許文献】
【０００５】
【特許文献１】特開２００６−１５８１９号公報
【発明の概要】
【発明が解決しようとする課題】
【０００６】
ところで、車両の減速走行時においてエンジンへの燃料供給が停止されているときにおける自動変速機のシフトダウン変速中（特に、エンジンの回転速度が低下するトルクフェーズ期間）に、燃料供給が復帰された場合、変速ショックに、燃料復帰ショックが加わるため、車両にはより一層大きなショックが生じることになる。
【０００７】
上記特許文献１のように、燃料供給復帰によるパワートレーンの駆動力変化を、パワートレーンの制動力制御により抑制するようにすれば、変速ショック自体はそれほど大きくはないので、車両に生じるショックは小さくなる。
【０００８】
しかし、上記特許文献１の構成では、燃料供給の復帰を抑制するものではないため、燃費が悪化する可能性が高くなる。また、高応答なパワートレーンの制動力制御が必要になる。
【０００９】
そこで、車両の減速走行時においてエンジンへの燃料供給が停止されているときに、通常のブレーキペダル踏み込みによる減速であれば、シフトダウン変速中のトルクフェーズ期間に、エンジンの回転速度が所定の復帰回転速度を下回らないように、トルクフェーズ期間を設定しておくことが考えられる。
【００１０】
しかし、シフトダウン変速中にブレーキペダルの踏み増しが行われた場合には、トルクフェーズ期間にエンジンの回転速度が所定の復帰回転速度を下回る可能性が高くなり、車両には、変速ショックと燃料復帰ショックとが生じる可能性が高くなる。
【００１１】
本発明は、斯かる点に鑑みてなされたものであり、その目的とするところは、車両の減速走行時においてエンジンへの燃料供給が停止されているときにおける自動変速機のシフトダウン変速中のトルクフェーズ期間にブレーキペダルの踏み増しが行われても、トルクフェーズ期間における燃料供給の復帰を出来る限り抑制しようとすることにある。
【課題を解決するための手段】
【００１２】
上記の目的を達成するために、本発明では、エンジンと、該エンジンと駆動輪との間の動力伝達経路に設けられた自動変速機と、上記駆動輪を含む全車輪に摩擦ブレーキ力を発生させる摩擦ブレーキ装置とを有する車両の制御装置を対象として、上記車両の運転者によるブレーキペダルの踏み込み量を検出するブレーキペダルセンサと、上記エンジンの回転速度を検出するエンジン回転速度センサと、上記車両のエンジンへの燃料供給の停止及び燃料供給の復帰を行うエンジン制御部と、上記自動変速機の変速制御を行う変速制御部と、を備え、上記エンジン制御部は、上記車両の減速走行時に、該車両のエンジンへの燃料供給を停止するとともに、現時点までに上記エンジン回転速度センサにより検出された上記エンジンの回転速度である実回転速度から、現時点に対して所定期間先の該エンジンの回転速度を先読みして、現時点において、該先読みした回転速度である先読み回転速度が所定の復帰回転速度を下回っているか否かを判定して、該先読み回転速度が該所定の復帰回転速度を下回っていると判定したときに、該エンジンへの燃料供給を復帰させるように構成され、更に上記エンジン制御部は、上記車両の減速走行時において該エンジン制御部により上記エンジンへの燃料供給が停止されているときにおける上記変速制御部による上記自動変速機のシフトダウン変速中のトルクフェーズ期間に、上記ブレーキペダルセンサによる上記踏み込み量から上記ブレーキペダルが所定量以上踏み増しされたか否かの踏み増し判定を行い、該踏み増し判定において所定量以上踏み増しされたと判定したときには、該トルクフェーズ期間の終了まで、上記所定の復帰回転速度と比較して上記燃料供給の復帰の判定に用いる回転速度を、上記先読み回転速度から上記実回転速度に変更するように構成されている、という構成とした。
【００１３】
上記の構成により、踏み増し判定において所定量以上踏み増しされたと判定されたときには、該トルクフェーズ期間の終了まで、燃料供給の復帰の判定に用いる回転速度が、先読み回転速度から実回転速度に変更される。すなわち、踏み増し判定において所定量以上踏み増しされなかったと判定されたときには、所定の復帰回転速度と比較して燃料供給の復帰の判定に用いる回転速度（復帰判定回転速度という）が先読み回転速度とされる一方、所定量以上踏み増しされたと判定されたときには、復帰判定回転速度が実回転速度とされる。先読み回転速度は、車両の減速走行時においては、実回転速度よりも低い回転速度となる。したがって、所定量以上踏み増しされたとの判定を早期に行うことができるとともに、所定量以上踏み増しされたと判定されたときには、復帰判定回転速度が、先読み回転速度から実回転速度に変更されることで、燃料供給の復帰が生じ難くなる。これにより、燃料供給の復帰が生じる前に、イナーシャフェーズ期間の開始によってエンジンの回転速度を上昇させることができる。この結果、トルクフェーズ期間にブレーキペダルの踏み増しが行われても、トルクフェーズ期間における燃料供給の復帰を出来る限り抑制することができる。
【００１４】
上記車両の制御装置において、上記車両は、上記エンジンと連結された発電機を含み、該発電機の発電作動により上記駆動輪に回生ブレーキ力を発生させる回生ブレーキ装置を更に備え、上記ブレーキペダルセンサによる上記ブレーキペダルの踏み込み量に応じて、上記摩擦ブレーキ装置及び上記回生ブレーキ装置を制御するブレーキ制御部を更に備え、上記ブレーキ制御部は、現時点において、所定期間先の上記先読み回転速度が、上記所定の復帰回転速度と同じ値又は略同じ値に設定された所定回転速度以上であるか否かを判定して、上記先読み回転速度が該所定回転速度以上であるときには、上記摩擦ブレーキ装置及び上記回生ブレーキ装置の両方で上記車両を制動させる一方、上記先読み回転速度が上記所定回転速度よりも低いときには、上記摩擦ブレーキ装置のみにより上記車両を制動させるとともに、上記エンジン制御部により、上記燃料供給の復帰の判定に用いる回転速度が、上記先読み回転速度から上記実回転速度に変更されている間は、上記所定回転速度と比較して上記車両の制動の切り換えに用いる回転速度を、上記先読み回転速度から上記実回転速度に変更するように構成されていてもよい。
【００１５】
すなわち、トルクフェーズ期間に、先読み回転速度が、所定の復帰回転速度と同じ値又は略同じ値に設定された所定回転速度を下回ると、車両には、燃料復帰ショックに加えて、回生ブレーキ装置による制動が停止することによるショックも生じるとともに、燃料供給の復帰による燃費の悪化に加えて、回生ブレーキ装置による制動の停止による燃費の悪化も生じる。これに対し、所定量以上踏み増しされたと判定されて復帰判定回転速度が先読み回転速度から実回転速度に変更されている間は、所定回転速度と比較して上記車両の制動の切り換えに用いる回転速度も、先読み回転速度から実回転速度に変更されることで、燃料供給の復帰及び回生ブレーキ装置による制動の停止が生じ難くなる。よって、トルクフェーズ期間にブレーキペダルの踏み増しが行われても、トルクフェーズ期間における燃料供給の復帰及び回生ブレーキ装置による制動の停止を出来る限り抑制することができる。
【００１６】
本発明の別の車両の制御装置は、エンジンと、該エンジンと駆動輪との間の動力伝達経路に設けられた自動変速機と、上記駆動輪を含む全車輪に摩擦ブレーキ力を発生させる摩擦ブレーキ装置とを有する車両の制御装置であって、上記車両の運転者によるブレーキペダルの踏み込み量を検出するブレーキペダルセンサと、上記エンジンの回転速度を検出するエンジン回転速度センサと、上記車両のエンジンへの燃料供給の停止及び燃料供給の復帰を行うエンジン制御部と、上記自動変速機の変速制御を行う変速制御部と、を備え、上記エンジン制御部は、上記車両の減速走行時に、該車両のエンジンへの燃料供給を停止し、上記エンジン回転速度センサによる該エンジンの回転速度が所定の復帰回転速度を下回ったときに、該エンジンへの燃料供給を復帰させるように構成され、更に上記エンジン制御部は、上記車両の減速走行時において該エンジン制御部により上記エンジンへの燃料供給が停止されているときにおける上記変速制御部による上記自動変速機のシフトダウン変速中のトルクフェーズ期間に、上記ブレーキペダルセンサによる上記踏み込み量から上記ブレーキペダルが所定量以上踏み増しされたか否かの踏み増し判定を行い、該踏み増し判定において所定量以上踏み増しされたと判定したときには、該トルクフェーズ期間の終了まで、所定量以上踏み増しされなかったと判定したときに比べて、上記所定の復帰回転速度を小さくするように構成されている。
【００１７】
この構成により、踏み増し判定において所定量以上踏み増しされたと判定されたときには、所定量以上踏み増しされなかったと判定されたときに比べて、所定の復帰回転速度が小さくされるので、エンジンの回転速度が所定の復帰回転速度を下回り難くなり、燃料供給の復帰が生じ難くなる。よって、トルクフェーズ期間にブレーキペダルの踏み増しが行われても、トルクフェーズ期間における燃料供給の復帰を出来る限り抑制することができる。
【００１８】
上記別の車両の制御装置において、上記車両は、上記エンジンと連結された発電機を含み、該発電機の発電作動により上記駆動輪に回生ブレーキ力を発生させる回生ブレーキ装置を更に備え、上記ブレーキペダルセンサによる上記ブレーキペダルの踏み込み量に応じて、上記摩擦ブレーキ装置及び上記回生ブレーキ装置を制御するブレーキ制御部を更に備え、上記ブレーキ制御部は、上記エンジン回転速度センサによる上記エンジンの回転速度が、上記所定の復帰回転速度と同じ値又は略同じ値に設定された所定回転速度以上であるときには、上記摩擦ブレーキ装置及び上記回生ブレーキ装置の両方で上記車両を制動させる一方、上記エンジンの回転速度が上記所定回転速度よりも低いときには、上記摩擦ブレーキ装置のみにより上記車両を制動させるとともに、上記エンジン制御部により上記所定の復帰回転速度が小さくされている間は、上記所定回転速度を、該小さくされた所定の復帰回転速度と同じ値又は略同じ値に変更するように構成されていてもよい。
【００１９】
このことにより、トルクフェーズ期間にブレーキペダルの踏み増しが行われても、トルクフェーズ期間における燃料供給の復帰及び回生ブレーキ装置による制動の停止を出来る限り抑制することができる。
【発明の効果】
【００２０】
以上説明したように、本発明の車両の制御装置及び別の車両の制御装置によると、車両の減速走行時においてエンジンへの燃料供給が停止されているときにおける自動変速機のシフトダウン変速中のトルクフェーズ期間にブレーキペダルの踏み増しが行われても、トルクフェーズ期間における燃料供給の復帰を出来る限り抑制することができる。よって、シフトダウン変速中に、車両に燃料復帰ショックが生じるのを抑制することができるとともに、燃費が悪化するのを抑制することができる。
【図面の簡単な説明】
【００２１】
【図１】本発明の実施形態に係る制御装置が搭載された車両の概略構成を示す図である。
【図２】上記制御装置の制御系の構成を示すブロック図である。
【図３】車両の減速走行時においてエンジンへの燃料供給が停止されかつブレーキ協調制御がなされているときにおける自動変速機のシフトダウン変速中のトルクフェーズ期間に、ブレーキペダルが所定量以上踏み増しされたときのタイムチャートである。
【図４】車両の減速走行時においてエンジンへの燃料供給が停止されかつブレーキ協調制御がなされているときにシフトダウン変速を開始したときのエンジン制御部の処理動作を示すフローチャートである。
【図５】変形例におけるエンジン制御部の処理動作を示すフローチャートである。
【発明を実施するための形態】
【００２２】
以下、本発明の実施形態を図面に基づいて詳細に説明する。
【００２３】
図１は、本発明の実施形態に係る制御装置（後述のコントロールユニット５０）が搭載された車両１の概略構成を示す。車両１は、エンジン２と、エンジン２と連結されかつエンジン２の駆動を補助する、スタータ及び発電機兼用のモータであるＩＳＧ３（Integrated Starter-Generator）とを備えるハイブリッド車両である。エンジン２は、本実施形態では、直列４気筒エンジンであるが、これには限られない。
【００２４】
車両１は、ＩＳＧ３及びエンジン２と駆動輪８ａとの間の動力伝達経路に設けられた自動変速機５を更に備える。この自動変速機５は、トルクコンバータ６を介してエンジン２（詳細には、クランクシャフト２ａ）からの動力が入力されるようになされている。トルクコンバータ６は、一般的なトルクコンバータであって、エンジン２のクランクシャフト２ａに連結されたケースと、該ケース内に固設されたポンプと、該ポンプに対向配置されかつ該ポンプにより作動油を介して駆動されるタービンと、該ポンプと該タービンとの間に介設され、トルク増大作用を行うステータと、上記ケースを介してエンジン２のクランクシャフト２ａとタービンとを直結するロックアップクラッチとを有する。上記タービンの回転が自動変速機５に伝達される。
【００２５】
自動変速機５は、本実施形態では、前進６速後退１速の有段式自動変速機であって、動力伝達経路を切り換えることで変速段を切り換えるための複数の摩擦締結要素（クラッチ及び／又はブレーキ）と、これら複数の摩擦締結要素及びロックアップクラッチに油圧を供給する油圧装置８０（図２参照）とを有する。油圧装置８０は、油圧供給回路と、油圧供給回路に設けられたソレノイドバルブ等のようなアクチュエータとを含む。各摩擦締結要素は、該摩擦締結要素（詳細には、締結用油圧室）への油圧の供給及び非供給に応じて締結及び解放が可能に構成されている。上記アクチュエータの制御によって、各摩擦締結要素（締結用油圧室）に油圧が供給されたり非供給にされたりすることで、各摩擦締結要素の締結及び解放の制御（つまり、変速制御）がなされる。また、上記アクチュエータの制御によって、ロックアップクラッチの締結及び解放の制御がなされる。
【００２６】
ＩＳＧ３の回転軸３ａは、巻掛け伝動機構１１を介してクランクシャフト２ａにおける自動変速機５とは反対側の端部に連結されている。これにより、ＩＳＧ３は、エンジン２を介して自動変速機５と連結されることになる。尚、エンジン２がＩＳＧ３を介して自動変速機５と連結されていてもよい。
【００２７】
巻掛け伝動機構１１は、クランクシャフト２ａにおける自動変速機５とは反対側の端部に設けられたプーリ１２と、ＩＳＧ３の回転軸３ａの先端部に設けられたプーリ１３と、これらのプーリ１２，１３間に巻き掛けられたベルト１４とを有している。巻掛け伝動機構１１によって、クランクシャフト２ａの回転が回転軸３ａに伝達されるか、又は、回転軸３ａの回転がクランクシャフト２ａに伝達される。
【００２８】
エンジン２の駆動力（又は、エンジン２及びＩＳＧ３の駆動力）は、トルクコンバータ６、自動変速機５及び差動機構７を介して、車両１の全車輪８（本実施形態では、２つの前輪及び２つの後輪）のうちの２つの駆動輪８ａ（本実施形態では、２つの前輪）に伝達される。尚、図１では、全車輪８のうち１つの車輪８（ここでは、駆動輪８ａ）のみを示す。
【００２９】
車両１は、全車輪８に摩擦ブレーキ力を発生させる摩擦ブレーキ装置２１と、駆動輪８ａに回生ブレーキ力を発生させる回生ブレーキ装置３１とを更に備える。
【００３０】
摩擦ブレーキ装置２１は、全車輪８それぞれに設けられたブレーキ機構２２と、車両１の運転者が操作するブレーキペダル２３と、運転者によるブレーキペダル２３の踏み込み操作により、全車輪８のブレーキ機構２２に油圧を供給する油圧供給装置２４とを有している。油圧供給装置２４は、倍力装置２５と、マスタシリンダ２６と、マスタシリンダ２６からブレーキ機構２２に供給される油圧の大きさを調整する油圧調整弁２７とを含む。摩擦ブレーキ装置２１は、運転者によるブレーキペダル２３の踏み込み操作により、油圧供給装置２４を介してブレーキ機構２２に油圧を供給することで、全車輪８に摩擦ブレーキ力を発生させる。
【００３１】
回生ブレーキ装置３１は、発電機として作動するＩＳＧ３及び巻掛け伝動機構１１を含む。ＩＳＧ３は、ブレーキペダル２３が踏み込まれているとき（車両１の減速走行時）に、発電機として発電作動されて、駆動輪８ａに回生ブレーキ力を発生させる。すなわち、駆動輪８ａから差動機構７、自動変速機５、トルクコンバータ６及びエンジン２を介してＩＳＧ３に伝達された運動エネルギを電気エネルギに変換するエネルギ回生が行われる。ＩＳＧ３で発電された電力は、不図示のバッテリに充電される。こうして該バッテリに充電された電力は、ＩＳＧ３がモータとして作動する際にＩＳＧ３に供給される。
【００３２】
図２に示すように、車両１には、エンジン２、ＩＳＧ３、摩擦ブレーキ装置２１の油圧調整弁２７、及び、自動変速機５の油圧装置８０の作動を制御するコントロールユニット５０が設けられている。
【００３３】
コントロールユニット５０は、周知のマイクロコンピュータをベースとするコントローラであって、コンピュータプログラム（ＯＳ等の基本制御プログラム、及び、ＯＳ上で起動されて特定機能を実現するアプリケーションプログラムを含む）を実行する中央演算処理装置（ＣＰＵ）と、例えばＲＡＭやＲＯＭにより構成されたメモリと、電気信号の入出力をする入出力（Ｉ／Ｏ）バスと、を備えている。
【００３４】
上記ＲＯＭには、種々のコンピュータプログラムや、各種のマップを含むデータ等が格納され、上記ＲＡＭには、上記ＣＰＵが一連の処理を行う際に使用される処理領域が設けられている。
【００３５】
図２に示すように、コントロールユニット５０内には、エンジン制御部５０ａと、変速制御部５０ｂと、ブレーキ制御部５０ｃと、ＩＳＧ制御部５０ｄとが設けられている。エンジン制御部５０ａ、変速制御部５０ｂ、ブレーキ制御部５０ｃ及びＩＳＧ制御部５０ｄは、上記ＲＯＭに記憶されているコンピュータプログラムに従って、各部に入力される信号を上記ＣＰＵで処理して、後述の如く動作する。
【００３６】
コントロールユニット５０には、車両１の運転者によるブレーキペダル２３の踏み込み量を検出するブレーキペダルセンサ５１からの信号と、車両１の車速を検出する車速センサ５２からの信号と、アクセル開度を検出するアクセル開度センサ５３からの信号と、車両１の運転者が操作するシフトレバーのレンジ位置を検出するレンジ位置センサ５４からの信号と、エンジン２の回転速度を検出するエンジン回転速度センサ５５からの信号とが入力される。また、コントロールユニット５０には、これらセンサの他に、エンジン２、ＩＳＧ３、油圧調整弁２７及び油圧装置８０の制御に必要な種々のセンサからの信号が入力される。
【００３７】
エンジン制御部５０ａは、アクセル開度センサ５３によるアクセル開度、エンジン回転速度センサ５５によるエンジン２の回転速度等に基づいて、エンジン２の作動を制御する。また、エンジン制御部５０ａは、車両１のエンジン２への燃料供給の停止及び燃料供給の復帰を行う。具体的に、エンジン制御部５０ａは、車両１の減速走行時に、車両１のエンジン２への燃料供給を停止するとともに、現時点までにエンジン回転速度センサ５５により検出されたエンジン２の回転速度である実回転速度から、現時点に対して所定期間先のエンジン２の回転速度を先読みして、現時点において、該先読みした回転速度である先読み回転速度が所定の復帰回転速度Ｎ１を下回っているか否かを判定して、該先読み回転速度が該所定の復帰回転速度Ｎ１を下回っていると判定したときに、エンジン２への燃料供給を復帰させる。
【００３８】
上記所定期間は、本実施形態では、エンジン２の６点火分（燃料供給の停止により実際には点火していないが、仮に点火するとした場合の６点火分）に相当する期間である。上記所定期間としては、所定時間であってもよい。また、所定の復帰回転速度Ｎ１は、エンジンストールが生じないような最低の回転速度に設定される。尚、本実施形態では、エンジン制御部５０ａは、空気調和装置の作動状態等によって、所定の復帰回転速度Ｎ１の値を変更する。この変更された所定の復帰回転速度Ｎ１の値は、上記メモリのＲＡＭに記憶される。
【００３９】
このように燃料供給の復帰を判定するための回転速度（以下、復帰判定回転速度という）を、実回転速度ではなく先読み回転速度にしているのは、エンジン２の回転速度が所定の復帰回転速度Ｎ１を下回るとの判定（後述の如く、ブレーキペダル２３が所定量以上踏み増しされたとの判定）を出来る限り早期に行って、エンジンストールをより確実に防止するためである。
【００４０】
変速制御部５０ｂは、自動変速機５の油圧装置８０を制御して、自動変速機５の変速を制御する。変速制御部５０ｂは、例えば、レンジ位置センサ５４による上記シフトレバーのレンジ位置がＤレンジ位置にあるときには、車両１の走行状態（アクセル開度センサ５８によるアクセル開度及び車速センサ５２による車速）から、上記メモリのＲＯＭに予め記憶した変速マップを用いて変速段を決定して、その決定した変速段になるように、油圧装置８０を制御する（各摩擦締結要素の締結及び解放を制御する）。
【００４１】
また、変速制御部５０ｂは、車両１の減速走行時には、その減速に応じてシフトダウン変速を行う（摩擦締結要素の掛け替えを行う）。すなわち、変速制御部５０ｂは、シフトダウン変速中において、自動変速機５における上記複数の摩擦締結要素のうち、解放状態から締結状態へ移行させる摩擦締結要素である締結側摩擦締結要素の半締結状態で、締結状態から解放状態へ移行させる摩擦締結要素である解放側摩擦締結要素が、締結状態の油圧からの減圧により解放されるように、該締結側摩擦締結要素及び該解放側摩擦締結要素への油圧を制御することで、自動変速機５のシフトダウン変速を行う。締結側摩擦締結要素は、解放側摩擦締結要素が解放された後に、完全に締結状態とされる。
【００４２】
ブレーキ制御部５０ｃは、車両１の走行中（車速センサ５２による車速が０よりも大きいとき）におけるブレーキペダルセンサ５１によるブレーキペダル２３の踏み込み量が所定踏み込み量（遊び程度の量）よりも大きいとき（つまり、運転者が車両１を減速させようとするとき）において、ブレーキ制御を行うべく、摩擦ブレーキ装置２１（詳細には、本実施形態では、油圧調整弁２７）を制御するとともに、ＩＳＧ制御部５０ｄを介して、回生ブレーキ装置３１における発電機としてのＩＳＧ３を制御する。
【００４３】
ＩＳＧ制御部５０ｄは、ブレーキ制御部５０ｃがブレーキ制御を行っているときに、ブレーキ制御部５０ｃからの指令を受けて、ＩＳＧ３を、エネルギ回生を行う発電機として制御する。また、ＩＳＧ制御部５０ｄは、後述の如くブレーキ制御部５０ｃが摩擦ブレーキ装置２１のみによるブレーキ制御を行っているときには、ブレーキ制御部５０ｃからの指令を受けて、発電機としてのＩＳＧ３の作動を停止する。一方、ブレーキ制御部５０ｃがブレーキ制御を行っていないときには、ＩＳＧ制御部５０ｄは、ＩＳＧ３を、モータとして作動させたり、エンジン２により駆動される発電機として作動させたりする。
【００４４】
ブレーキ制御部５０ｃは、ブレーキ制御の際、ブレーキペダルセンサ５１によるブレーキペダル２３の踏み込み量に応じて車両１の目標減速度を設定する。本実施形態では、ブレーキペダル２３の踏み込み量から、上記メモリのＲＯＭに予め記憶した目標減速度マップを用いて目標減速度を設定する。ブレーキペダル２３の踏み込み量が大きいほど、車両１の目標減速度は大きくなる。
【００４５】
ブレーキ制御部５０ｃは、ブレーキ制御の際、現時点において、所定期間先の上記先読み回転速度が所定回転速度Ｎ２以上であるか否かを判定して、上記先読み回転速度が所定回転速度Ｎ２以上であるときには、摩擦ブレーキ装置２１及び回生ブレーキ装置３１の両方で車両１を制動させる一方、上記先読み回転速度が所定回転速度Ｎ２よりも低いときには、摩擦ブレーキ装置３１のみにより車両１を制動させる。所定回転速度Ｎ２も、エンジンストールが生じないような最低の回転速度に設定される。したがって、所定回転速度Ｎ２は、所定の復帰回転速度Ｎ１と同じ値又は略同じ値（所定の復帰回転速度Ｎ１よりも僅かに大きい方が好ましい）に設定される。本実施形態では、所定回転速度Ｎ２は、所定の復帰回転速度Ｎ１（所定の復帰回転速度Ｎ１がエンジン制御部５０ａにより変更された場合は、その変更された所定の復帰回転速度Ｎ１）と同じ値とする。
【００４６】
尚、上記バッテリが、これ以上充電させることができない状態（バッテリの残存容量（ＳＯＣ）が多い状態）にあるときには、エンジン２の回転速度に関係なく、摩擦ブレーキ装置２１のみにより車両１が制動される。
【００４７】
ブレーキ制御部５０ｃは、摩擦ブレーキ装置２１及び回生ブレーキ装置３１の両方によるブレーキ制御（以下、ブレーキ協調制御という）の際には、車両１の減速度が上記目標減速度になるように、摩擦ブレーキ装置による全車輪８の目標摩擦ブレーキ力と回生ブレーキ装置による駆動輪８ａの目標回生ブレーキ力とを設定する。そして、ブレーキ制御部５０ｃは、上記設定された目標摩擦ブレーキ力が全車輪８に発生しかつ上記設定された目標回生ブレーキ力が駆動輪８ａに発生するように、油圧調整弁２７及びＩＳＧ３（発電量）を制御する。
【００４８】
一方、ブレーキ制御部５０ｃは、摩擦ブレーキ装置２１のみによるブレーキ制御の際には、車両１の減速度が上記目標減速度になるように、目標摩擦ブレーキ力を設定する。この目標摩擦ブレーキ力は、ブレーキ協調制御における目標摩擦ブレーキ力と目標回生ブレーキ力とを合わせたトータル目標ブレーキ力に相当する。
【００４９】
ここで、図３に示すように、変速制御部５０ｂが、車両１の減速走行時においてエンジン２への燃料供給が停止されかつブレーキ協調制御がなされているときに、時刻ｔ０で、（Ｎ＋１）速からＮ速へのシフトダウン変速を開始したとする。
【００５０】
時刻ｔ０で、解放側摩擦締結要素への油圧の指令値がＰ１からＰ２（＜Ｐ１）にされ、締結側摩擦締結要素への油圧の指令値が０からＰ３（＜Ｐ２）とされる。これにより、図３に示すように、時刻ｔ０から少し遅れた時刻ｔ１で、解放側摩擦締結要素の実油圧がＰ２となり、時刻ｔ１よりも遅れた時刻ｔ２で、締結側摩擦締結要素の実油圧がＰ３となる。油圧Ｐ１，Ｐ２は、解放側摩擦締結要素の締結状態を維持することが可能な油圧であり、油圧Ｐ２は、これよりも低くなると、解放側摩擦締結要素が解放し始める（スリップし始める）油圧である。また、油圧Ｐ３は、締結側摩擦締結要素の解放状態を維持することが可能な油圧であって、これよりも高くなると、締結側摩擦締結要素が締結し始める（スリップし始める）油圧である。
【００５１】
以下、締結側摩擦締結要素及び解放側摩擦締結要素への油圧の指令値の変化ではなく、実油圧の変化を説明する。
【００５２】
締結側摩擦締結要素の実油圧は、時刻ｔ２から時刻ｔ３にかけて、油圧Ｐ３から徐々に上昇して、時刻ｔ３でＰ４となり、時刻ｔ３以降は、時刻ｔ７の直後までＰ４が維持される。油圧Ｐ４は、該油圧Ｐ４を継続することでやがて締結側摩擦締結要素を完全に締結状態にすることが可能な油圧である。こうして、締結側摩擦締結要素は、時刻ｔ２から締結し始めて、時刻ｔ７で完全に締結状態になる。時刻ｔ７の直後に、締結側摩擦締結要素の実油圧は、Ｐ１まで上昇する。
【００５３】
一方、解放側摩擦締結要素の実油圧は、時刻ｔ３後の時刻ｔ４から時刻ｔ５にかけて、油圧Ｐ２から徐々に減少して、時刻ｔ５でＰ３となり、時刻ｔ５以降もゆっくりと減少して、時刻ｔ６で、０になる。こうして、解放側摩擦締結要素は、時刻ｔ４から解放し始めて、時刻ｔ５で解放状態になり、時刻ｔ５以降も解放状態が維持される。尚、ここでは、解放側摩擦締結要素が解放し始める時刻ｔ４は、時刻ｔ３後であるが、締結側摩擦締結要素が締結し始める時刻ｔ２以降であれば、どこで解放し始めてもよい。
【００５４】
時刻ｔ０から時刻ｔ５の直前までは、変速比（つまりギヤ比（入力回転速度／出力回転速度））の変更が行われていないトルクフェーズ期間であり、このトルクフェーズ期間では、入力回転速度（エンジン２の回転速度、又はトルクコンバータ６のタービンの回転速度）は、エンジン２への燃料供給が停止されているので、徐々に低下する。
【００５５】
時刻ｔ５から時刻ｔ７までは、変速比（ギヤ比）の変更が行われるイナーシャフェーズ期間であり、このイナーシャフェーズ期間では、入力回転速度が変速制御後の変速比に対応する回転速度に向けて大きく変化（上昇）する。イナーシャフェーズ期間が終了する時刻ｔ７で、シフトダウン変速が完了し、時刻ｔ７以降、エンジン２の回転速度は、時刻ｔ７の回転速度から低下することになる。
【００５６】
シフトダウン変速中のトルクフェーズ期間は、通常のブレーキペダル２３の踏み込みによる減速であれば、トルクフェーズ期間に、先読み回転速度が所定の復帰回転速度Ｎ１（所定回転速度Ｎ２）を下回ることはなく、時刻ｔ５での先読み回転速度は、所定の復帰回転速度Ｎ１よりも大きい。
【００５７】
しかし、図３の「トータルブレーキ力」の欄に示すように、シフトダウン変速中のトルクフェーズ期間の時刻Ｔ１で、ブレーキペダル２３が踏み増しされて、トータルブレーキ力が上昇した場合、トルクフェーズ期間に先読み回転速度が所定の復帰回転速度Ｎ１を下回る可能性が高くなる。図３では、「エンジンの回転速度」の欄に破線で示すように、時刻ｔ５の直前に先読み回転速度が所定の復帰回転速度Ｎ１（所定回転速度Ｎ２）を下回っている。
【００５８】
先読み回転速度が所定の復帰回転速度Ｎ１（所定回転速度Ｎ２）を下回ると、車両１には、燃料復帰ショックが生じるとともに、回生ブレーキ力が０にまで減少し、その分だけ摩擦ブレーキ力が上昇するため、車両１には、回生ブレーキ装置３１による制動が停止（ブレーキ協調制御が停止）することによるショックも生じる。
【００５９】
そこで、本実施形態では、エンジン制御部５０ａは、車両１の減速走行時において該エンジン制御部５０ａによりエンジン２への燃料供給が停止されかつブレーキ制御部５０ｃブレーキ協調制御がなされているときにおける変速制御部５０ｂによる自動変速機５のシフトダウン変速中のトルクフェーズ期間に、ブレーキペダルセンサ５１によるブレーキペダル２３の踏み込み量からブレーキペダル２３が所定量以上踏み増しされたか否かの踏み増し判定を行う。そして、エンジン制御部５０ａは、その踏み増し判定においてブレーキペダル２３が所定量以上踏み増しされたと判定したときには、該トルクフェーズ期間の終了まで、所定の復帰回転速度Ｎ１と比較して上記燃料供給の復帰の判定に用いる回転速度（以下、復帰判定回転速度という）を、先読み回転速度（図３の「エンジンの回転速度」の欄の破線参照）から実回転速度（実線参照）に変更する。
【００６０】
本実施形態では、エンジン制御部５０ａは、上記踏み増し判定において、ブレーキペダルセンサ５１によるブレーキペダル２３の踏み込み量（つまり、ブレーキ制御部５０ｃにより設定された目標減速度）から、イナーシャフェーズ期間の開始タイミングにおける先読み回転速度を予測する。より詳細には、エンジン制御部５０ａは、現時点までの先読み回転速度と、トルクフェーズ期間の長さ時間（つまり、イナーシャフェーズ期間の開始タイミング）と、ブレーキ制御部５０ｃにより設定された目標減速度とに基づいて、イナーシャフェーズ期間の開始タイミングにおける先読み回転速度を予測する。
【００６１】
トルクフェーズ期間の長さ時間は、一定値であってもよいが、締結側摩擦締結要素及び解放側摩擦締結要素の経年劣化等によって、トルクフェーズ期間の長さ時間が長くなる傾向にあるので、変速制御部５０ｂが、新品からの経過時間等を考慮して、トルクフェーズ期間の長さ時間を予測しており、本実施形態では、その予測した値を用いる。
【００６２】
エンジン制御部５０ａは、上記予測した先読み回転速度が所定の復帰回転速度Ｎ１を下回ると判定したときには、ブレーキペダル２３が所定量以上踏み増しされたと判定する一方、該予測した先読み回転速度が所定の復帰回転速度Ｎ１を下回らないと判定したときには、ブレーキペダル２３が所定量以上踏み増しされなかったと判定する。すなわち、ブレーキペダル２３の踏み増し量に関する上記所定量は、ブレーキペダル２３の踏み増しによりトルクフェーズ期間に先読み回転速度が所定の復帰回転速度Ｎ１を下回るような踏み増し量の最小値である。
【００６３】
エンジン制御部５０ａは、上記踏み増し判定において所定量以上踏み増しされたと判定したときには、トルクフェーズ期間の終了まで、復帰判定回転速度を、上記先読み回転速度から上記実回転速度に変更する。
【００６４】
また、ブレーキ制御部５０ｃは、復帰判定回転速度が先読み回転速度から実回転速度に変更されている間は、所定回転速度Ｎ２と比較して車両１の制動の切り換えに用いる回転速度（以下、制動切り換え回転速度）を、先読み回転速度から実回転速度に変更する。
【００６５】
上記踏み増し判定においてブレーキペダル２３が所定量以上踏み増しされなかったと判定されたときには、復帰判定回転速度が先読み回転速度とされる。この先読み回転速度は、車両の減速走行時においては、実回転速度よりも低い回転速度となる（図３の「エンジン回転速度」の欄参照）。したがって、所定量以上踏み増しされたとの判定を早期に行うことができるとともに、所定量以上踏み増しされたと判定されたときには、復帰判定回転速度が、先読み回転速度から実回転速度に変更されることで、燃料供給の復帰及びブレーキ協調制御の停止が生じ難くなる（図３の「エンジン回転速度」の欄の実回転速度は、所定の復帰回転速度Ｎ１を下回っていない）。これにより、燃料供給の復帰及びブレーキ協調制御の停止が生じる前に、イナーシャフェーズ期間の開始によってエンジン２の回転速度が上昇することになる。よって、トルクフェーズ期間にブレーキペダル２３の踏み増しが行われても、トルクフェーズ期間における燃料供給の復帰及びブレーキ協調制御の停止が抑制される。
【００６６】
次に、車両１の減速走行時においてエンジン２への燃料供給が停止されかつブレーキ協調制御がなされているときにシフトダウン変速を開始したときのエンジン制御部５０ａの処理動作を、図４のフローチャートに基づいて説明する。
【００６７】
最初のステップＳ１で、上記メモリのＲＡＭから所定の復帰回転速度Ｎ１を取得し、次のステップＳ２で、変速制御部５０ｂが予測したトルクフェーズ期間の長さ時間を、変速制御部５０ｂから取得するとともに、ブレーキ制御部５０ｃが設定した目標減速度を、ブレーキ制御部５０ｃから取得する。
【００６８】
次のステップＳ３では、現時点までにエンジン回転速度センサ５５により検出された実回転速度から、現時点に対して所定期間先の先読み回転速度を先読みし、現時点において、この先読み回転速度と、上記ステップＳ２で取得したトルクフェーズ期間の長さ時間と、上記ステップＳ２で取得した目標減速度とに基づいて、イナーシャフェーズ期間の開始タイミングにおける先読み回転速度Ｎを予測する。
【００６９】
次のステップＳ４では、イナーシャフェーズ期間の開始タイミングにおける先読み回転速度Ｎと所定の復帰回転速度Ｎ１とを比較し、次のステップＳ５で、イナーシャフェーズ期間の開始タイミングにおける先読み回転速度Ｎが所定の復帰回転速度Ｎ１よりも小さいか否かを判定する。
【００７０】
ステップＳ５の判定がＮＯであるときには、ステップＳ６に進んで、イナーシャフェーズ期間が開始されたか否かを判定し、このステップＳ６の判定がＮＯであるときには、上記ステップＳ１に戻る一方、ステップＳ６の判定がＹＥＳであるときには、本制御を終了する。
【００７１】
一方、ステップＳ５の判定がＹＥＳあるときには、ステップＳ７に進んで、復帰判定回転速度を、先読み回転速度から実回転速度に変更する。このとき、ブレーキ制御部５０ｃにより、制動切り換え回転速度も、先読み回転速度から実回転速度に変更される。
【００７２】
次のステップＳ８で、イナーシャフェーズ期間が開始されたか否かを判定し、ステップＳ８の判定がＮＯであるときには、ステップＳ８の処理動作を繰り返し、ステップＳ８の判定がＹＥＳになると、ステップＳ９に進んで、復帰判定回転速度を先読み回転速度に戻す。このとき、ブレーキ制御部５０ｃにより、制動切り換え回転速度も先読み回転速度に戻される。ステップＳ９の後、本制御を終了する。
【００７３】
したがって、本実施形態では、車両１の減速走行時においてエンジン２への燃料供給が停止されかつブレーキ協調制御がなされているときにときにおける自動変速機５のシフトダウン変速中のトルクフェーズ期間に、ブレーキペダル２３が所定量以上踏み増しされたか否かの踏み増し判定を行い、該踏み増し判定においてブレーキペダル２３が所定量以上踏み増しされたと判定したときには、該トルクフェーズ期間の終了まで、復帰判定回転速度及び制動切り換え回転速度を、先読み回転速度から実回転速度に変更するようにしたことにより、上記シフトダウン変速中のトルクフェーズ期間にブレーキペダル２３の踏み増しが行われても、トルクフェーズ期間における燃料供給の復帰及びブレーキ協調制御の停止を出来る限り抑制することができる。よって、シフトダウン変速中に、車両１に、燃料復帰ショック、及び、回生ブレーキ装置３１による制動が停止することによるショックが生じるの抑制することができるとともに、燃料供給の復帰による燃費の悪化、及び、回生ブレーキ装置３１による制動の停止による燃費の悪化を抑制することができる。
【００７４】
本発明は、上記実施形態に限られるものではなく、請求の範囲の主旨を逸脱しない範囲で代用が可能である。
【００７５】
例えば、上記実施形態では、エンジン制御部５０ａが、上記踏み増し判定において所定量以上踏み増しされたと判定したときには、トルクフェーズ期間の終了まで、復帰判定回転速度を先読み回転速度から実回転速度に変更したが、変形例として、エンジン制御部５０ａが、上記踏み増し判定において所定量以上踏み増しされたと判定したときには、トルクフェーズ期間の終了まで、所定量以上踏み増しされなかったと判定したときに比べて、所定の復帰回転速度Ｎ１を小さくするようにしてもよい。この変形例では、エンジン制御部５０ａは、先読み回転速度ではなくて実回転速度（エンジン回転速度センサ５５によるエンジン２の回転速度）が所定の復帰回転速度Ｎ１を下回ったときに、エンジン２への燃料供給を復帰させる。また、上記変形例では、ブレーキ制御部５０ｃは、実回転速度が所定回転速度Ｎ２（所定の復帰回転速度Ｎ１と同じ値又は略同じ値）以上であるときには、摩擦ブレーキ装置２１及び回生ブレーキ装置３１の両方で車両１を制動させる一方、実回転速度が所定回転速度Ｎ２よりも低いときには、摩擦ブレーキ装置２１のみにより車両１を制動させる。さらに、上記変形例では、ブレーキ制御部５０ｃは、変速制御部５０ｂにより所定の復帰回転速度Ｎ１が小さくされている間は、所定回転速度Ｎ２を、該小さくされた所定の復帰回転速度Ｎ１と同じ値又は略同じ値に変更する。
【００７６】
上記変形例におけるエンジン制御部５０ａの処理動作は、図５のフローチャートのようになる。すなわち、ステップＳ２１，Ｓ２２で、それぞれステップＳ１，Ｓ２と同様の処理動作を行い、続くステップＳ２３で、現時点までにエンジン回転速度センサ５５により検出されたエンジン２の回転速度と、上記ステップＳ２２で取得したトルクフェーズ期間の長さ時間と、上記ステップＳ２２で取得した目標減速度とに基づいて、イナーシャフェーズ期間の開始タイミングにおけるエンジン２の回転速度Ｎ０を予測する。
【００７７】
次のステップＳ２４では、イナーシャフェーズ期間の開始タイミングにおけるエンジン２の回転速度Ｎ０と所定の復帰回転速度Ｎ１とを比較し、次のステップＳ２５で、イナーシャフェーズ期間の開始タイミングにおけるエンジン２の回転速度Ｎ０が所定の復帰回転速度Ｎ１よりも小さいか否かを判定する。
【００７８】
ステップＳ２５の判定がＮＯであるときには、ステップＳ２６に進んで、イナーシャフェーズ期間が開始されたか否かを判定し、このステップＳ２６の判定がＮＯであるときには、上記ステップＳ２１に戻る一方、ステップＳ２６の判定がＹＥＳであるときには、本制御を終了する。
【００７９】
一方、ステップＳ２５の判定がＹＥＳあるときには、ステップＳ２７に進んで、所定の復帰回転速度Ｎ１を小さくする。このとき、ブレーキ制御部５０ｃにより、所定回転速度Ｎ２が、小さくされた所定の復帰回転速度Ｎ１と同じ値又は略同じ値に変更される（所定回転速度Ｎ２も小さくされる）。
【００８０】
次のステップＳ２８で、イナーシャフェーズ期間が開始されたか否かを判定し、ステップＳ２８の判定がＮＯであるときには、ステップＳ２８の処理動作を繰り返し、ステップＳ２８の判定がＹＥＳになると、ステップＳ２９に進んで、所定の復帰回転速度Ｎ１を元の値に戻す。このとき、ブレーキ制御部５０ｃにより、所定回転速度Ｎ２も元の値に戻される。ステップＳ２９の後、本制御を終了する。
【００８１】
上記変形例では、踏み増し判定において所定量以上踏み増しされたと判定されたときには、所定量以上踏み増しされなかったと判定されたときに比べて、所定の復帰回転速度Ｎ１及び所定回転速度Ｎ２が小さくされるので、エンジン２の回転速度が所定の復帰回転速度Ｎ１及び所定回転速度Ｎ２を下回り難くなり、燃料供給の復帰が生じ難くなる。よって、上記変形例においても、上記実施形態と同様に、トルクフェーズ期間にブレーキペダルの踏み増しが行われても、トルクフェーズ期間における燃料供給の復帰及び回生ブレーキ装置による制動の停止を出来る限り抑制することができる。
【００８２】
また、上記実施形態及び上記変形例では、ブレーキ制御部５０ｃが、ブレーキ制御の際、エンジン回転速度センサ５５によるエンジン２の回転速度が所定回転速度Ｎ２以上であるときには、摩擦ブレーキ装置２１及び回生ブレーキ装置３１の両方で車両１を制動させる（ブレーキ協調制御を行う）一方、エンジン２の回転速度が上記所定回転速度Ｎ２よりも低いときには、摩擦ブレーキ装置２１のみにより車両１を制動させるようにしているが、ブレーキ協調制御を行わずに常に摩擦ブレーキ装置２１のみによるブレーキ制御しか行わない場合であっても、本発明を適用することができる。これにより、トルクフェーズ期間にブレーキペダル２３の踏み増しが行われても、トルクフェーズ期間における燃料供給の復帰を出来る限り抑制することができる。よって、シフトダウン変速中に、車両１に燃料復帰ショックが生じるのを抑制することができるとともに、燃料供給の復帰による燃費の悪化を抑制することができる。
【００８３】
上述の実施形態は単なる例示に過ぎず、本発明の範囲を限定的に解釈してはならない。本発明の範囲は請求の範囲によって定義され、請求の範囲の均等範囲に属する変形や変更は、全て本発明の範囲内のものである。
【産業上の利用可能性】
【００８４】
本発明は、エンジンと、該エンジンと駆動輪との間の動力伝達経路に設けられた自動変速機と、上記駆動輪を含む全車輪に摩擦ブレーキ力を発生させる摩擦ブレーキ装置とを有する車両の制御装置に有用である。
【符号の説明】
【００８５】
１      車両
２      エンジン
３      ＩＳＧ（回生ブレーキ装置の発電機）
５      自動変速機
８      車輪
８ａ    駆動輪
２１    摩擦ブレーキ装置
２３    ブレーキペダル
３１    回生ブレーキ装置
５０    コントロールユニット
５０ａ  エンジン制御部
５０ｂ  変速制御部
５０ｃ  ブレーキ制御部
５１    ブレーキペダルセンサ
５５    エンジン回転速度センサ
【図１】
2020192831.tif 000003
【図２】
2020192831.tif 000004
【図３】
2020192831.tif 000005
【図４】
2020192831.tif 000006
【図５】
2020192831.tif 000007